(57)【要約】【課題】  多段、多列に収納した接続端子を使用する場合においても、ハウジングに横スライドランス、縦スライドランスを挿通して、大きな係止力により確実に係止すると共に、任意の接続端子を簡便にハウジングから取り外す。【解決手段】  損傷などによりハウジング本体１３に挿着している特定の１個の接続端子１８ｘを抜き出さなければならない場合に、該当の接続端子１８ｘを係止している横スライドランス１６、縦スライドランス１７を該当の接続端子１８ｘの係止状態が外れるところまで押し出す。選択した横スライドランス１６と縦スライドランス１７の交点となる該当の接続端子１８ｘだけの係止状態が解除され、残余の接続端子１８は横スライドランス１６、縦スライドランス１７の少なくとも何れかにより係止されているので、該当の接続端子１８だけを抜き出すことができる。【選択図】図１６
2008053043.tif 000002
【特許請求の範囲】
【請求項１】
ハウジングの後面から見て格子状に配列した端子収容孔内にそれぞれ接続端子を収納し、前記ハウジングの側部から前記端子収容孔内に挿脱自在とすると共に前記端子収容孔内で交叉するそれぞれ複数本から成る横スライドランスと縦スライドランスを備え、前記個々の接続端子を前記各端子収容孔内で前記横スライドランス及び縦スライドランスにより二重に係止して前記端子収容孔内に固定したことを特徴とする電気コネクタ。
【請求項２】
前記横スライドランス、縦スライドランスは前記接続端子を前記端子収容孔に対し前後方向に二重に係止したことを特徴とする請求項１に記載の電気コネクタ。
【請求項３】
前記横スライドランス、縦スライドランスは係止機構により前記ハウジングに対し係止することを特徴とする請求項１に記載の電気コネクタ。
【請求項４】
前記横スライドランス、縦スライドランスは保持部材により前記ハウジング内に保持することを特徴とする請求項１に記載の電気コネクタ。
【請求項５】
前記保持部材は前記ハウジングを覆う環状の防水シール材を備えた筒状部材とし、前記ハウジング内の防水を兼ねることを特徴とする請求項４に記載の電気コネクタ。
【発明の詳細な説明】
【技術分野】
【０００１】
本発明は、複数の接続端子を内蔵したハウジング同士を嵌合して接続を行う電気コネクタに関するものである。
【背景技術】
【０００２】
例えば、自動車等の電気回路の接続に用いられる接続端子は、益々小型化されつつある。
【０００３】
一般に、電気コネクタハウジングに収納した接続端子を係止するには、ハウジング内に設けられた可撓性の係止ランスによって行うのが通常である。
【発明の開示】
【発明が解決しようとする課題】
【０００４】
しかし、接続端子が小型化されるにつれ、射出成型によりハウジング内に係止ランスを成型することが困難となり、形成してもその係止力は弱いものである。
【０００５】
更に、ハウジングから接続端子を取り外す必要がある場合には、接続端子ごとに例えばハウジングの前方から治具を介して係止アームによる係止を外さなければならない。従って、接続端子の数が多数の場合、或いは接続端子が超小型化されていると、その作業は難渋を極めることになる。
【０００６】
このような問題を解決するために、ハウジングの後部にリアホルダを取り付け、このリアホルダに係止ランスを付設することが例えば特許文献１に開示されている。しかし、この場合には端子収容孔が高々２段程度の構成のものにしか適用されず、３段以上の電気コネクタには採用が困難である。
【０００７】
【特許文献１】特開２００４−３９５３５号公報
【０００８】
本発明の目的は、多段、多列に収納した接続端子を使用する場合においても、ハウジングに横スライドランス、縦スライドランスを挿通して、接続端子を大きな係止力により確実に係止すると共に、任意の接続端子を簡便にハウジングから取り外し得る電気コネクタを提供することにある。
【課題を解決するための手段】
【０００９】
上述の目的を達成するための本発明に係る電気コネクタの技術的特徴は、ハウジングの後面から見て格子状に配列した端子収容孔内にそれぞれ接続端子を収納し、前記ハウジングの側部から前記端子収容孔内に挿脱自在とすると共に前記端子収容孔内で交叉するそれぞれ複数本から成る横スライドランスと縦スライドランスを備え、前記個々の接続端子を前記各端子収容孔内で前記横スライドランス及び縦スライドランスにより二重に係止して前記端子収容孔内に固定したことにある。
【発明の効果】
【００１０】
本発明に係る電気コネクタによれば、ハウジングの端子収容孔内における接続端子に対する係止を確実にすると共に、ハウジングに対する接続端子の取り付け、取り外しを容易にし、特に任意の接続端子のみを容易に取り外すことができる。
【発明を実施するための最良の形態】
【００１１】
本発明を図示の実施例に基づいて詳細に説明する。
図１はハウジングの正面図、図２は１個の雄型接続端子をハウジング内に収納した縦スライドランスを挿入した状態のコネクタの上方から見た縦断面図、図３は更に横スライドランスを挿入した状態の側方から見た縦断面図である。
【００１２】
合成樹脂製のハウジング１１中央には、例えば縦横、４段４列に計１６個所に、雄型接続端子を収納するための端子収容孔１２を備えたハウジング本体１３が設けられ、端子収容孔１２はハウジング本体１３内を前後に貫通するように設けられ、ハウジング１１の前方及び後方から見て格子状に画成されている。
【００１３】
各端子収容孔１２が形成されたハウジング本体１３の前端には、各端子収容孔１２に対応した挿込端挿通孔１４が開口されている。ハウジング本体１３の更に前方周囲には、相手側のハウジングと嵌合すると共に雄型接続端子の挿込端を保護するためのフード部１５が設けられている。
【００１４】
図４はハウジングの側面図、図５は底面図である。ハウジング１１のハウジング本体１３及びフード部１５の両側面及び下面には、後述する４本の横スライドランス１６及び４本の縦スライドランス１７をそれぞれ挿入するための挿通口１３ａ、１３ｂ、１５ａ、１５ｂ（１３ａ、１３ｂは図示せず）が４個所ずつ設けられている。
【００１５】
各端子収容孔１２内には、図６に示すように先端に平刃状の挿込端１８ａを有する雄型接続端子１８が、ハウジング１１の後方から端子収容孔１２内に挿入されており、挿込端１８ａは挿込端挿通孔１４を介してハウジング本体１３の前方に突出されている。接続端子１８の中間部の上面には切込み１８ｂ、一方の側面には切込み１８ｃが形成されている。また、接続端子１８の後部の導体圧着部１８ｄには電線１９の導体が圧着されており、更に後方に延長された被覆圧着部１８ｅには、電線１９に装着された円筒状の防水シール材２０が電線１９の被覆と共に固定されている。そして、各接続端子１８は端子収容孔１２内において、横スライドランス１６及び縦スライドランス１７によりそれぞれ切込み１８ｂ及び１８ｃを介して係止される。
【００１６】
図７〜図９に示す合成樹脂製の横スライドランス１６は、１枚の摺動板１６ａの下面に４個のＬ字型部材１６ｂが等間隔に付設された棒状部材である。Ｌ字型部材１６ｂの先端は、接続端子１８の切込み１８ｂに係止して接続端子１８の後方への抜け出しを防止するための可撓片１６ｃとされている。なお、基部には挿脱用の操作部１６ｄとされ、操作部１６ｄには係止用の凹部１６ｅが設けられている。
【００１７】
図１０〜図１３に示す縦スライドランス１７は、縦方向に等間隔で接続端子１８の後方への抜け出しを防止する４個所の突起部１７ａが設けられた合成樹脂製の棒状部材であり、フード部１５の挿通口１５ｂ、ハウジング本体１３に設けられた案内部に沿って上下方向に摺動するための溝１７ｂ、１７ｃが縦方向に２個所に設けられている。また、基部には挿脱用の操作部１７ｄとされ、操作部１７ｄには係止用の凹部１７ｅが設けられている。
【００１８】
端子収容孔１２内に接続端子１８を挿着するには、先ず全ての横スライドランス１６をフード部１５の側部の挿通口１５ａを経て、ハウジング本体１３の挿通口１３ａからハウジング本体１３内に挿入しておく。横スライドランス１６は端部がハウジング本体１３内に隠れるまでハウジング本体１３内に挿入し、端部がハウジング本体１３の表面と面一となるようにする。この状態において、横スライドランス１６はハウジング本体１３に対し係止され、位置決めがなされるようになっている。
【００１９】
全ての横スライドランス１６をハウジング本体１３に挿入した状態で、個々の端子収容孔１２内に後方から接続端子１８を挿込端１８ａを先にして押し込みにより挿入する。接続端子１８は既に挿入されている横スライドランス１６の可撓片１６ｃを押し上げながら進入し、接続端子１８が所定位置に達すると可撓片１６ｃが元の形状に復元して、接続端子１８の切込み１８ｂに係止し、接続端子１８は後方への抜け止めがなされる。
【００２０】
全ての接続端子１８の挿入完了後に、今度は下方の挿通口１５ｂ、１３ｂから縦スライドランス１７を挿入すると、縦スライドランス１７はハウジング本体１３内に進入し所定の位置に挿入したところで、各突起部１７ａが接続端子１８の切込み１８ｃに係止して接続端子１８に対して前抜け及び後抜け防止がなされる。縦スライドランス１７の所定位置において縦スライドランス１７はハウジング本体１３に対し位置決めがなされ係止される。
【００２１】
このようにして、横スライドランス１６と縦スライドランス１７による二重の係止によって、接続端子１８の後方及び前方への抜け出しを確実に防止することができる。
【００２２】
この電気コネクタを同様にして組立て、雌型接続端子を収容した相手側の電気コネクタと嵌合することにより、接続端子同士が接続し電気コネクタとしての役割を果すことができる。
【００２３】
このように、相手側ハウジングと嵌合して電気コネクタとして使用することが可能ではあるが、ハウジング１１を防水タイプとする場合に、ハウジング１１の前方から水が浸入しないようにすることが必要である。この防水構造には、後述する防水アダプタを用いることにより、実現可能である。
【００２４】
図１４はハウジング本体１３の周囲に嵌合し防水を行うと共に、横スライドランス１６、縦スライドランス１７の不時の抜け出しを確実に防止するための合成樹脂材から成る筒状の防水アダプタ２１の縦断面図を示している。この防水アダプタ２１は常時は図１５に示すように雄型接続端子１８を備えたハウジング本体１３に装着されており、反対側部分は使用時に相手側ハウジングのハウジング本体に嵌合される。
【００２５】
防水アダプタ２１の中間部には壁部２１ａが設けられ、この壁部２１ａに接続端子１８の各挿込端１８ａを挿通する孔部２１ｂが形成されている。更に、防水アダプタ２１の両端内側には両ハウジング本体の外周に接合して、その間を防水する環状の防水シール材２２、２３が取り付けられている。
【００２６】
この防水アダプタ２１を使用することにより、図１５に示すように防水アダプタ２１内は外部に対し密閉され、各接続端子１８ごとに設けた防水シール材２０と共働して、端子収容孔１２内への水の浸入が防止される。なお、この場合に、防水アダプタ２１の壁部２１ａはなくともよい。
【００２７】
本実施例の電気コネクタにおいて、損傷などにより特定の１個の接続端子１８を抜き出さなければならない場合には、防水アダプタ２１を使用している場合には防水アダプタ２１を取り外してから、図１６に示すように、該当の接続端子１８ｘを係止している横スライドランス１６、縦スライドランス１７を例えばドライバ状の治具により該当の接続端子１８ｘの係止状態が外れるところまで押し出す。
【００２８】
これにより、選択した横スライドランス１６と縦スライドランス１７の交点となる該当の接続端子１８ｘだけの係止状態が解除される。残余の接続端子１８は横スライドランス１６、縦スライドランス１７の少なくとも何れかにより係止されているので、該当の接続端子１８ｘだけを抜き出すことができ、接続端子１８の交換の利便性が向上する。
【００２９】
抜き出した接続端子１８の代りに、新たな接続端子１８を挿入するには、横スライドランス１６を元に戻した後に接続端子１８を挿入し、更に縦スライドランス１７を挿通して係止すればよい。
【００３０】
なお、実施例においては、ハウジング本体１３とフード部１５を分けて説明したが、フード部１５はなくとも支障はない。また、防水が不要な場合には、防水アダプタ２１や接続端子１８に取り付けた防水シール材２０は不要である。
【図面の簡単な説明】
【００３１】
【図１】ハウジングの正面図である。
【図２】ハウジングの上方から見た縦断面図である。
【図３】ハウジングの側方から見た縦断面図である。
【図４】ハウジングの側面図である。
【図５】ハウジングの底面図である。
【図６】接続端子の斜視図である。
【図７】横スライドランスの平面図である。
【図８】正面図である。
【図９】側面図である。
【図１０】縦スライドランスの平面図である。
【図１１】側面図である。
【図１２】拡大底面図である。
【図１３】図１０のＡ−Ａ線に沿った拡大断面図である。
【図１４】防水アダプタの縦断面図である。
【図１５】ハウジングに防水アダプタを組合わせた状態の断面図である。
【図１６】特定の接続端子の係止を解除する場合の模式的説明図である。
【符号の説明】
【００３２】
１１  ハウジング
１２  端子収容孔
１３  ハウジング本体
１５  フード部
１６  横スライドランス
１７  縦スライドランス
１８  接続端子
１９  電線
２０、２２、２３  防水シール材
２１  防水アダプタ
【図１】
2008053043.tif 000003
【図２】
2008053043.tif 000004
【図３】
2008053043.tif 000005
【図４】
2008053043.tif 000006
【図５】
2008053043.tif 000007
【図６】
2008053043.tif 000008
【図７】
2008053043.tif 000009
【図８】
2008053043.tif 000010
【図９】
2008053043.tif 000011
【図１０】
2008053043.tif 000012
【図１１】
2008053043.tif 000013
【図１２】
2008053043.tif 000014
【図１３】
2008053043.tif 000015
【図１４】
2008053043.tif 000016
【図１５】
2008053043.tif 000017
【図１６】
2008053043.tif 000018